(57)【要約】      （修正有）【課題】ピアス等装身具の装脱着を確実にし、同時に、装飾性の高い装身具止め金具を提供する。【解決手段】装身具本体１に取り付けた溝８を備えたピン２に対して、ピンを通過させた状態で使用する装身具止め金具であり、溝を備えたピンが止め金具本体中心に設けた挿入口６を通過し、止め金具本体３内部に備えたバネ４と咬み合うことにより、装身具本体が抜け止めされるようにして装身具止め金具を構成する。【選択図】図１
0003155897.tif 000002
【実用新案登録請求の範囲】
【請求項１】
装身具本体に取り付けたピンに対して、ピンを通過させた状態で使用する装身具止め金具であり、ピンに設けた今回考案した特殊な溝と、その溝を備えたピンが、止め金具本体中心に設けた挿入口を通過し、止め金具本体内部に備えた今回考案のバネと咬み合うことにより、装身具本体が抜け止めされることを特徴とする、装身具止め金具。
【請求項２】
装身具止め金具本体内部のバネの弾性とバネの、円型とV字型、もしくは円型と平行の形状を利用し、ピアス本体に取り付けたピンの溝を挟み付ける構造とした請求項１に記載の装身具用止め金具。
【請求項３】
止め金具本体を回転することにより、ピンに設けた溝から、バネがピンの溝のない部分に移動することにより、装身具として簡易に脱着できる機能を有する、請求項１、２のいずれかに記載の装身具止め金具
【請求項４】
装身具止め金具本体、すなわちピアスの耳裏金具に、装身具に装飾性を加えた、請求項１、２、3のいずれかに記載の装身具止め金具。
【考案の詳細な説明】
【技術分野】
【０００１】
本考案は、ピアス等の装身具を、耳に着ける際に用いる、装身具に付いたピンを耳に差し通してから、そのピンと装身具止め金具本体を、抜け止めするための装身具用の止め金具に関するものであり、特に、ピンと装身具止め金具本体の抜け止め機構と、脱着性、装飾性に工夫を凝らした、装身具用止め金具に関する。
【背景技術】
【０００２】
従来、ピアス等の装身具の止め金具は、ピアス本体に取り付けたピンを装着者の耳を通し、耳の裏側において、ピアス本体に取り付けられた、ピンを止め金具本体の中心を通過させ、本体付属のシリコン等にも通過させてその弾性を利用して、ピアス本体の抜け止めを防止する機能を有するものである。
【考案の開示】
【考案が解決しようとする課題】
【０００３】
しかしながら、上記装身具止め金具において、利用者がピアスを装着する際に止め金具の止める位置が解りにくく、確実性がないために、装身具止め金具本体を紛失してしまう欠点があった。また、ピアス止め金具のため、耳の裏装着であることで、装身具に必要な装飾性に欠けている欠点があった。
【課題を解決するための手段】
【０００４】
本考案は、ピアス等の装身具本体に取り付けられた、ピンの本考案の溝と止め金具本体内に内蔵された、本考案のバネにより装着者が、止める位置が解かり確実に装身具を止めることができ、また、従来にはない、ピアスの裏金具にも装飾性を兼ね備えた、装身具止め金具を提供するものであり、
装身具本体に取り付けたピンに対して、ピンを通過させた状態で使用する装身具止め金具であり、ピンに設けた今回考案した特殊な溝と、その溝を備えたピンが、止め金具本体中心に設けた挿入口を通過し、止め金具本体内部に備えた今回考案のバネと咬み合うことにより、装身具本体が抜け止めされることを特徴とする装身具止め金具である。
【０００５】
また、
装身具止め金具本体内部のバネの弾性とバネの、円型とV字型、もしくは円型と平行の形状を利用し、ピアス本体に取り付けたピンの溝を挟み付ける構造とした装身具用止め金具である。
【０００６】
また、
止め金具本体を回転することにより、ピンに設けた溝から、バネがピンの溝のない部分に移動することにより、装身具として簡易に脱着できる機能を有する、装身具止め金具である。
【０００７】
また、
装身具止め金具本体、すなわちピアスの耳裏金具に、装身具に装飾性を加えた、装身具止め金具である。
【考案の効果】
【０００８】
この考案の装身具止め金具を採用することにより、本体内蔵のバネと装身具本体に取り付けたピンの溝により、バネがピンを挟み込み、なおかつピンの溝にバネが、はまり込むことにより、装着が確実になる。また、装身具本体を外す場合は、止め金具本体を回転させる別の動きをするため、装着者は装身具本体ならびに、止め金具本体を、紛失することを防ぎ、使用も便利である。
【０００９】
また、この装身具止め金具により、従来にはないピアス等の裏金具にも、本考案の厚みのない形のバネにより、円の外形だけでなく、違う形も形成することができ宝石、貴石なども使用でき、リバーシブルの使用も可能となり、後ろから見ても綺麗でピンが突き出ないため、髪の毛や服を引っかけることもなく、装身具としての利用性を高めることができる。
【００１０】
以下、添付図面に従って実施例を説明する。  図１は、装身具止め金具の装着した状態示す。図２に示すように、１はピアス等の装身具の背面であり、１に取り付けられた２は、ピアス等の装身具の背面に取り付けられた、本考案のピンであり、８の先端付近に対じした溝を設け、また溝を付けてない対じした面もある（特殊溝）を設けている。図４は本考案の装身具止め金具のピン溝を表したものである。
【００１１】
図３に示すように、３，７、により装身具止め金具を成型し、６のピアスピンの挿入口より、図２のピン２を装着者の耳を挟み挿入することにより、３の装身具止め金具本体内部に設けた、円型とV字型とで形成した厚みのない（特殊バネ）４を通過し図２のピン２に設けた、８の溝に収まることにより、２のピンを挟み維持して、２のピンに取り付けられた装身具本体の抜け止めを可能にする。
図７は、ピン２が挿入されていない場合の正面断面図である。
【００１２】
図６は、装身具止め金具の正面断面図であり、６のピン挿入口より、ピン２を挿入することにより、４のバネのV字部分が開くことにより、ピン２に設けた８の溝に収まり、装身具本体の抜け止めを可能にする。
図５は、止め金具本体を回転することにより、図５のAの位置にピン２の溝８が移動し、４のバネから解放されることにより、３の止め金具本体と、１の装身具本体に取り付けられたピン２が、脱着可能となり、装身具の脱着可能な止め金具として機能する。
【図面の簡単な説明】
【００１３】
【図１】本考案の装身具止め金具の全体図
【図２】本考案の装身具止め金具の片方側面図
【図３】本考案の装身具止め金具の図２に対じする本体の側面図
【図４】本考案の装身具止め金具のピン溝を表した図
【図５】本考案の装身具止め金具の止め機能より抜ける状態を示す正面図
【図６】本考案の装身具止め金具の固定している状態を示す正面図
【図７】本考案の装身具止め金具のピン２が挿入されていない場合の状態を示す正面図
【符号の説明】
【００１４】
１  装身具本体
２  装身具止め金具ピン（１）
３  装身具止め金具本体（２）
４  バネ
５  バネ固定板
６  ピン挿入口
７  模造装飾石
８  ピンに設けた溝
A  ピンが本体より抜ける位置
【図１】
0003155897.tif 000003
【図２】
0003155897.tif 000004
【図３】
0003155897.tif 000005
【図４】
0003155897.tif 000006
【図５】
0003155897.tif 000007
【図６】
0003155897.tif 000008
【図７】
0003155897.tif 000009
【手続補正書】
【提出日】平成21年10月1日(2009.10.1)
【手続補正１】
【補正対象書類名】実用新案登録請求の範囲
【補正対象項目名】全文
【補正方法】変更
【補正の内容】
【実用新案登録請求の範囲】
【請求項１】
装身具本体に取り付けた溝を備えたピンに対して、ピンを通過させた状態で使用する装身具止め金具であり、溝を備えたピンが止め金具本体中心に設けた挿入口を通過し、止め金具本体内部に備えたバネと咬み合うことにより、装身具本体が抜け止めされることを特徴とする装身具止め金具。
【請求項２】
装身具止め金具本体内部のバネの弾性と、バネの円型とV字型、もしくは円型と平行の形状を利用し、ピアス本体に取り付けたピンの溝を挟み付ける構造とした請求項１に記載の装身具用止め金具。
【請求項３】
止め金具本体を回転することにより、ピンに設けた溝から、バネがピンの溝のない部分に移動することにより、装身具として簡易に脱着できる機能を有する請求項１、２のいずれかに記載の装身具止め金具
【請求項４】
装身具止め金具本体、すなわちピアスの耳裏金具に装飾性を加えた、請求項１、２、3のいずれかに記載の装身具止め金具。